(57)【要約】【課題】道路標識に対する認識を高めることができるカレンダーを提供する。【解決手段】表と裏とに異なる月の日付をひと月ずつ記載した日付印刷面２がそれぞれ設けられた用紙１を複数枚組み合わせて用いる。各日付印刷面２には交通に関する情報を記載する交通情報記載領域４が設けられており、この交通情報記載領域４には、道路標識２が記載されている。これにより、例えば、カレンダーを確認する際に、道路標識の内容を確認することができ、交通安全に対する意識の向上を効果的に図ることができる。【選択図】図１
0003140228.tif 000002
【実用新案登録請求の範囲】
【請求項１】
日付が印刷された複数の日付印刷面を備えたカレンダーであって、
前記複数の日付印刷面は、それぞれ、一方の側に日付が印刷された日付領域を有すると共に、他方の側に交通に関する情報が印刷された交通情報記載領域を有し、
前記交通情報記載領域のうちの少なくとも２以上の日付印刷面には、日付印刷面毎に、少なくとも一部が異なる道路標識が記載された
ことを特徴とするカレンダー。
【請求項２】
前記交通情報記載領域には、日付印刷面毎に、同一分類に分類される道路標識のうちの２種以上が記載され、かつ、道路標識毎に、その道路標識の意味する内容がその道路標識の近傍に併せて記載されたことを特徴とする請求項１記載のカレンダー。
【請求項３】
更に、前記交通情報記載領域には、日付印刷面毎に、異なる内容の交通規則が記載されたことを特徴とする請求項１または請求項２に記載のカレンダー。
【請求項４】
前記日付は月毎に構成されており、日付印刷面毎に異なる月が記載されたことを特徴とする請求項１から請求項３のいずれか１に記載のカレンダー。
【請求項５】
前記日付領域には、日付毎に、メモを記入することが可能なメモ欄が設けられたことを特徴とする請求項１から請求項４のいずれか１に記載のカレンダー。
【請求項６】
前記日付印刷面が少なくとも一面に設けられた面の形状が四角形の複数の用紙を組み合わせて、卓上用として用いることを特徴とする請求項１から請求項５のいずれか１に記載のカレンダー。
【考案の詳細な説明】
【技術分野】
【０００１】
本考案は、交通に関する情報を記載したカレンダーに関する。
【背景技術】
【０００２】
道路には、安全かつ円滑な利用を図るために、案内，警戒，規制あるいは指示などを記した道路標識が設けられている。この道路標識は、道路を利用する運転手や歩行者にとっては、注意を必要とするものである。ところで、道路標識は、自動車運転免許取得時や、交通安全週間における講習時などに学習するが、より多くの機会に道路標識の内容を確認することができれば、交通安全に対する意識の向上を効果的に図ることができる。
【０００３】
なお、例えば、恒常的に安全意識を持たせるための手段としては、安全標語を書き順に従って区分けし、暦日に従って標語を順に塗っていく塗り絵式カレンダーが提案されている（例えば、特許文献１参照）。
【特許文献１】特開２００３−１２２２５２号公報
【考案の開示】
【考案が解決しようとする課題】
【０００４】
本考案は、道路標識に対する認識を高め、交通安全に対する意識を向上させることができるカレンダーを提供することを目的とする。
【課題を解決するための手段】
【０００５】
本考案のカレンダーは、日付が印刷された複数の日付印刷面を備えたものであって、複数の日付印刷面は、それぞれ、一方の側に日付が印刷された日付領域を有すると共に、他方の側に交通に関する情報が印刷された交通情報記載領域を有し、交通情報記載領域のうちの少なくとも２以上の日付印刷面には、日付印刷面毎に、少なくとも一部が異なる道路標識が記載されたものである。
【考案の効果】
【０００６】
本考案のカレンダーは、道路標識を記載するようにしたので、より多くの機会に道路標識の内容を確認することができ、交通安全に対する意識の向上を効果的に図ることができる。また、日付印刷面毎に、道路標識の少なくとも一部を異ならせるようにしたので、日付印刷面毎に異なる道路標識を確認することができる。更に、一方の側に日付領域を設け、他方の側に交通情報記載領域を設けるようにしたので、カレンダーとして使用した後は、日付領域を切り離すことにより、道路標識の学習カードとしても用いることができる。
【０００７】
特に、交通情報記載領域において、日付印刷面毎に、同一分類に分類される道路標識のうちの２種以上を記載するようにすれば、道路標識を系統立てて理解することができる。また、道路標識毎に、その道路標識の意味する内容をその道路標識の近傍に併せてするようにすれば、道路標識の意味を理解することができ、交通安全に対する意識をより向上させることができる。更に、交通情報記載領域において、日付印刷面毎に、異なる内容の交通規則を記載するようにすれば、交通安全に対する意識の向上をより効果的に図ることができる。
【０００８】
加えて、日付を月毎に構成し、日付印刷面毎に異なる月を記載するようにすれば、月毎に異なった道路標識あるいは交通規則を確認することができる。更にまた、日付毎にメモを記入することが可能なメモ欄を設けるようにすれば、メモを書き入れることもできる。
【考案を実施するための最良の形態】
【０００９】
以下、本考案の実施の形態について、図面を参照して詳細に説明する。
【００１０】
図１は、本考案の一実施の形態に係るカレンダーのひと月分の構成を表したものである。このカレンダーは、例えば、面の形状が四角形の用紙１を６枚組み合わせたものであり、各用紙１の表と裏とは、それぞれ、異なる月の日付がひと月ずつ印刷された日付印刷面２となっている。各日付印刷面２には、例えば、それぞれ、右側に日付が印刷された日付領域３が設けられると共に、左側に交通に関する情報が印刷された交通情報記載領域４が設けられている。また、例えば、左端には、年月が印刷された年月領域５が設けられている。
【００１１】
日付領域３には、日付が曜日毎に記載されており、特に、日付毎にメモを記入することが可能なメモ欄６が設けられていることが好ましい。
【００１２】
交通情報記載領域４には、道路標識７が記載されている。これにより、例えば、カレンダーを確認する際に、道路標識７の内容を確認することができ、交通安全に対する意識の向上を効果的に図ることができるようになっている。交通情報記載領域４に記載される道路標識７は、日付印刷面２毎、例えば月毎に、少なくとも一部が異なっていることが好ましい。日付印刷面２毎に異なった道路標識７を確認することができ、より効果的に交通安全に対する意識の向上を図ることができるからである。
【００１３】
道路標識７は、例えば、規制標識，指示標識，警戒標識，案内標識あるいは補助標識に分類される。道路標識７の記載の仕方としては、同一分類のうちの１種または２種以上を同一の日付印刷面２に記載するようにしてもよいし、異なる分類のうちの２種以上を同一の日付印刷面２に記載するようにしてもよいが、同一分類のうちの２種以上を同一の日付印刷面２に記載するようにすれば、道路標識２を系統立てて理解することができるので好ましい。特に、日付印刷面２毎に、道路標識７の分類を分けて、同一分類に分類される道路標識７のうちの２種以上をまとめて記載するようにすれば好ましい。なお、図１では、同一の日付印刷面２に、規制標識のうちの２種以上、具体的には１０種を記載している。
【００１４】
また、道路標識７は、全ての日付印刷面２に記載されていなくても、２以上の日付印刷面２に記載されていればよい。
【００１５】
更に、交通情報記載領域４には、道路標識７毎に、その道路標識７が意味する内容がその道路標識７の近傍に併せて記載されていることが好ましい。道路標識７の意味を理解しやすいからである。
【００１６】
更にまた、交通情報記載領域４には、道路標識７に加えて、交通規則８を記載するようにしてもよい。交通規則８についても確認する機会が増えるので、交通安全に対する意識の向上をより効果的に図ることができるからである。交通規則８は、例えば、交通違反の点数や反則金の額などを含めて記載してもよく、問題形式として記載してもよい。注意を引き付ける効果を高くすることができるからである。また、交通規則８は、ひとつの規則のみを記載するようにしてもよいし、２種以上の規則を併記するようにしてもよい。更に、交通規則８は、日付印刷面２毎、例えば月毎に、異なる内容が記載されていることが好ましい。日付印刷面２毎に異なった交通規則８を確認することができ、より効果的に交通安全に対する意識の向上を図ることができるからである。
【００１７】
交通情報記載領域４は、カレンダーにおいて、１０％以上９０％以下の割合で記載されていることが好ましく、３０％以上６０％以下の割合で記載されていることがより好ましい。交通情報記載領域４の記載の割合が少なすぎると、道路標識７あるいは交通規則８を記載する効果が低下してしまい、割合が多すぎるとカレンダーとしての機能が低下してしまうからである。
【００１８】
このカレンダーは、そのまま用いてもよいが、例えば、フォルダーを用いて卓上カレンダーとして用いるようにしてもよい。
【００１９】
このように、本実施の形態によれば、道路標識７を記載するようにしたので、より多くの機会に道路標識７の内容を確認することができ、交通安全に対する意識の向上を効果的に図ることができる。また、日付印刷面２毎に、道路標識７の少なくとも一部を異ならせるようにしたので、日付印刷面２毎に異なる道路標識７を確認することができる。更に、右側に日付領域３を設け、左側に交通情報記載領域４を設けるようにしたので、カレンダーとして使用した後は、日付領域３を切り離すことにより、道路標識７の学習カードとしても用いることができる。
【００２０】
特に、交通情報記載領域４において、日付印刷面２毎に、同一分類に分類される道路標識のうちの２種以上を記載するようにすれば、道路標識７を系統立てて理解することができる。また、道路標識７毎に、その道路標識７の意味する内容をその道路標識７の近傍に併せて記載するようにすれば、道路標識７の意味を理解することができ、交通安全に対する意識をより向上させることができる。
【００２１】
更に、交通情報記載領域４に、交通規則８を記載するようにすれば、交通規則８についても確認する機会が増えるので、交通安全に対する意識の向上をより効果的に図ることができる。加えて、日付印刷面２毎に、異なる内容の交通規則８を記載するようにすれば、日付印刷面２毎に異なる交通規則８を確認することができる。
【００２２】
更にまた、日付を月毎に構成し、日付印刷面２毎に異なる月を記載するようにすれば、月毎に異なった道路標識７あるいは交通規則８を確認することができる。加えてまた、日付毎にメモを記入することが可能なメモ欄６を設けるようにすれば、メモを書き入れることもできる。
【００２３】
以上、実施の形態を挙げて本考案を説明したが、本考案は上記実施の形態に限定されるものではなく、種々変形可能である。例えば、上記実施の形態では、用紙１の表と裏とに日付印刷面２を設ける場合について説明したが、片面のみに日付印刷面２を設けるようにしてもよく、例えば、片面のみに異なる月の日付を１月ずつ記載したものを１２枚組み合わせて用いてもよい。
【００２４】
また、上記実施の形態では、日付印刷面２の右側に日付領域３を設け、左側に交通情報記載領域４を設ける場合について説明したが、左側に日付領域３を設け、右側に交通情報記載領域４を設けるようにしてもよく、または、上側に日付領域３を設け、下側に交通情報記載領域４を設けるようにしてもよく、または、下側に日付領域３を設け、上側に交通情報記載領域４を設けるようにしてもよい。すなわち、一方の側に日付領域３を設け、他方の側に交通情報記載領域４を設けるようにすればよい。
【００２５】
更に、上記実施の形態では、日付印刷面２の左端に年月領域５を設ける場合について説明したが、年月領域５はどこに設けてもよく、例えば、右端に設けるようにしてもよく、上端に設けるようにしてもよく、下端に設けるようにしてもよく、日付領域３と交通情報記載領域４との間に設けるようにしてもよい。
【００２６】
加えて、上記実施の形態では、そのまま用いる場合、あるいは卓上カレンダーとして用いる場合について説明したが、壁に掛けたりあるいは貼ったりして用いるようにしてもよい。
【００２７】
更にまた、上記実施の形態では、日付印刷面２に異なる月の日付をひと月ずつ印刷する場合について説明したが、１つの日付印刷面２に複数月の日付を印刷するようにしてもよく、または、１週あるいは複数週の日付を印刷するようにしてもよく、または、１日あるいは複数日の日付を印刷するようにしてもよい。これらの場合についても、１つの日付印刷面２について道路標識２を１種のみ記載するようにしてもよいし、２種以上を記載するようにしてもよい。
【００２８】
加えてまた、上記実施の形態では、月毎に用紙１を分離したカレンダーについて説明したが、一部において綴じ合わせた複数枚つづりのカレンダーとしてもよい。加えてまた、図１では、面の形状が長方形の用紙１を用いる場合を示したが、面の形状は正方形などの他の四角形でもよい。
【図面の簡単な説明】
【００２９】
【図１】本考案の一実施の形態に係るカレンダーのひと月分を表した図である。
【符号の説明】
【００３０】
１…用紙、２…日付印刷面、３…日付領域、４…交通情報記載領域、５…年月領域、６…メモ欄、７…道路標識、８…交通規則
【図１】
0003140228.tif 000003